(57)【要約】【課題】ボルトの緩みを防止するとともにボルト頭部の傾きをフリーとすることができるばね座金を提供し、併せてボルト頭部の首振り機構を提供する。【解決手段】一体成形の薄鋼板製ばね座金であって、外観が円錐台形を呈し上面にはその中心部に締結用のボルトが貫通する貫通孔が貫設され前記ナットの非締め付け時には円錐台形の斜面は内側に中折れして前記被固定物または前記平座金側から順に勾配の異なる第１の斜面および第２の斜面が形成され、前記ボルトに所定軸力を与える前記ナットの締め付け時には前記第１の斜面が弾性変形して前記被固定物または前記平座金に略密着し、該所定軸力を超えるときは前記第２の斜面が弾性変形して該被固定物または該平座金に接近する、構成とし、この円錐台形ばね座金を基礎と土台を締め付けるアンカーボルト頭部に挿入した。【選択図】図１
2017116003.tif 000002
【特許請求の範囲】
【請求項１】
ナットと被固定物またはナットと平座金の間に挿入される一体成形の薄鋼板製ばね座金であって、
外観が円錐台形を呈し上面にはその中心部に締結用のボルトが貫通する貫通孔が貫設され前記ナットの非締め付け時には円錐台形の斜面は内側に中折れして前記被固定物または前記平座金側から順に勾配の異なる第１の斜面および第２の斜面が形成され、
前記ボルトに所定軸力を与える前記ナットの締め付け時には前記第１の斜面が弾性変形して前記被固定物または前記平座金に略密着し、該所定軸力を超えるときは前記第２の斜面が弾性変形して該被固定物または該平座金に接近する、ことを特徴とする円錐台形ばね座金。
【請求項２】
前記薄鋼板の板厚は略３．２ｍｍ以下であり、
前記ナットの非締め付け時における前記第１の斜面の勾配は略５．０°ないし１０．０°であり前記第２の斜面の勾配は該第１の斜面の勾配の略２倍であり、
前記貫通孔の直径は前記ボルト径に０．１５ｍｍないし０．３ｍｍを加えた数値であって円錐台形上面の直径に略一致する、ことを特徴とする請求項１に記載の円錐台形ばね座金。
【請求項３】
請求項１または請求項２に記載の円錐台形ばね座金がナットとボルトを固定して突設しているボルト固定体の間に介挿され、
被固定物が前記ボルト固定体と前記円錐台形ばね座金の間に該ボルトに挿通されて介挿され、
前記所定軸力で前記ナットが締め付けられて前記円錐台形ばね座金はその第１の斜面が弾性変形して前記被固定物に略密着するとともに前記被固定物が前記ボルト固定体に固定され、
前記ボルトの突設方向に対する横荷重を受けて前記ボルト固定体に対して前記被固定物に横荷重方向の滑りが生じたときに前記円錐台形ばね座金の該横荷重方向の反対側の第２の斜面が弾性変形して前記被固定物に接近するとともに該横荷重方向側の第１の斜面が回復して、前記ボルト頭部が傾いて該ボルト頭部の首振りによる該ボルトの曲がりを許容する、ことを特徴とするボルトの首振り機構。
【請求項４】
前記ボルトはアンカーボルトであり前記被固定物は建物の土台であり前記ボルト固定体は基礎であって、
前記土台と前記基礎の間には板材を主要素とする複数枚の滑り平板からなる摩擦減震装置が前記アンカーボルトに挿通されて介挿され、
前記土台および前記円錐台形ばね座金の間には平座金が前記アンカーボルトに挿通されて介挿されている、ことを特徴とする請求項３に記載のボルトの首振り機構。
【発明の詳細な説明】
【技術分野】
【０００１】
本発明は、本発明は、被固定物を固定するボルトの緩みを防止するとともにボルト締め付け後にも弾性変形可能なばね座金およびこのばね座金を使用したボルト頭部の首振り機構に関する。
【背景技術】
【０００２】
被固定物を固定するボルトの緩みを防止するため弾性変形を利用したばね座金として、例えば特許文献１ないし特許文献３に開示のものがある。
【０００３】
特許文献１に開示の「バネ鋼ワッシャー」は「建築木材に振動が加わったり、乾燥により縮んだ時の緊締具の緩みを防止する。」ことを課題として、その解決手段を「木材等の被緊締部材とナット間に平板状のバネ鋼を略円錐台状に形成したワッシャーを設け、このワッシャーの軸方向の伸縮により緊締具の緩みを吸収する。」としている。また、特許文献２に開示の「スプリングワッシャ」は「ナットおよびボルトの締め付けを確実にし、かつ弛み防止を可能にしたスプリングワッシャを提供する。」ことを課題として、その解決手段を「ハガネ鋼板を素材としたスプリングワッシャに、更に上反り部、下反り部を設けて、ハガネの持つ弾力性を十分に利用できるようにした成形をする。」としている。そして、特許文献３に開示の「スプリングワッシャー及び同ワッシャーを用いたトグルクランプ」は「枢着される部材に対して適正な圧接力が及ぶようにしたスプリングワッシャー、及び当該ワッシャーを用いたトグルクランプを提供する。」ことを課題としていて、その解決手段を「レバーの操作に基づき所要のトグル機構を介して作動するクランプシャフトを具えたトグルクランプに於いて、当該トグル機構の所要レバーの枢着軸に、中央部に挿通孔を穿設しかつその全体が笠状を呈する弾性材料で製したワッシャー主体を、所要の枢軸を介して弾力性蓄積状態で安定化させることによって、当該枢軸を介して枢着状態にある所要レバーに対して圧接させるように構成したスプリングワッシャーを介在させるように構成したトグルクランプ。」としている。
【０００４】
【特許文献１】特開２０００−９１２６号公報
【特許文献２】特開２００７−２４２９９号公報
【特許文献３】特開２０１５−１０６１８号公報
【発明の概要】
【発明が解決しようとする課題】
【０００５】
ところで、木造建物に代表される比較的軽量な小規模の建物に適用される免震技術として、平板間の摩擦力を利用した減震装置が提案されていて、例えば、本願出願人の「摩擦減震装置」が特開２０１５−２２４４８８号公報に開示されている。このような建物の基礎と土台との間に重ね合わされて介挿される複数枚の滑り平板からなる摩擦減震装置においては、アンカーボルトは基礎側で固定されるので、締め付けナット側でアンカーボルト頭部の傾きを拘束するよりも傾きをフリーとしたほうが摩擦減震装置の滑り平板間の摩擦抵抗力が十分に発揮されることとなる。
【０００６】
しかしながら、特許文献１ないし特許文献３に開示のばね座金はいずれもナットおよびボルトの締め付けを確実にし、弛み防止することはできても、ボルト頭部の傾きをフリーとすることは考慮されていない。
【０００７】
そこで、本願発明は、ボルトの緩みを防止するとともにボルト頭部の傾きをフリーとすることができるばね座金を提供し、併せてボルト頭部の首振り機構を提供することを目的とする。
【課題を解決するための手段】
【０００８】
上記目的を達成するため、本願請求項１に係る円錐台形ばね座金は、ナットと被固定物またはナットと平座金の間に挿入される一体成形の薄鋼板製ばね座金であって、外観が円錐台形を呈し上面にはその中心部に締結用のボルトが貫通する貫通孔が貫設され前記ナットの非締め付け時には円錐台形の斜面は内側に中折れして前記被固定物または前記平座金側から順に勾配の異なる第１の斜面および第２の斜面が形成され、前記ボルトに所定軸力を与える前記ナットの締め付け時には前記第１の斜面が弾性変形して前記被固定物または前記平座金に略密着し、該所定軸力を超えるときは前記第２の斜面が弾性変形して該被固定物または該平座金に接近する、ことを特徴としている。
また、本願請求項２に係る円錐台形ばね座金は、請求項１に記載の円錐台形ばね座金であって、前記薄鋼板の板厚は略３．２ｍｍ以下であり、前記ナットの非締め付け時における前記第１の斜面の勾配は略５．０°ないし１０．０°であり前記第２の斜面の勾配は該第１の斜面の勾配の略２倍であり、前記貫通孔の直径は前記ボルト径に０．１５ｍｍないし０．３ｍｍを加えた数値であって円錐台形上面の直径に略一致する、ことを特徴としている。
そして、本願請求項３に係るボルトの首振り機構は、請求項１または請求項２に記載の円錐台形ばね座金がナットとボルトを固定して突設しているボルト固定体の間に介挿され、被固定物が前記ボルト固定体と前記円錐台形ばね座金の間に該ボルトに挿通されて介挿され、前記所定軸力で前記ナットが締め付けられて前記円錐台形ばね座金はその第１の斜面が弾性変形して前記被固定物に略密着するとともに前記被固定物が前記ボルト固定体に固定され、前記ボルトの突設方向に対する横荷重を受けて前記ボルト固定体に対して前記被固定物に横荷重方向の滑りが生じたときに前記円錐台形ばね座金の該横荷重方向の反対側の第２の斜面が弾性変形して前記被固定物に接近するとともに該横荷重方向側の第１の斜面が回復して、前記ボルト頭部が傾いて該ボルト頭部の首振りによる該ボルトの曲がりを許容する、ことを特徴としている。
さらに、本願請求項４に係るボルトの首振り機構は、請求項３に記載のボルトの首振り機構であって、前記ボルトはアンカーボルトであり前記被固定物は建物の土台であり前記ボルト固定体は基礎であって、前記土台と前記基礎の間には板材を主要素とする複数枚の滑り平板からなる摩擦減震装置が前記アンカーボルトに挿通されて介挿され、前記土台および前記円錐台形ばね座金の間には平座金が前記アンカーボルトに挿通されて介挿されている、ことを特徴としている。
【発明の効果】
【０００９】
本願発明は以下の効果を奏する。
（１）ボルトに所定軸力を与えるナットの締め付け時には第１の斜面が弾性変形して被固定物または平座金に略密着するため、所定軸力を付与したか否かは目視で確認できる。また、第１の斜面が弾性変形するためその復元力が働いてボルトの緩みを防止することができる。そして、さらにナットを締め付けると第２の斜面が弾性変形して被固定物または平座金に接近するものの復元力は保存され、締め付け力が減少すると第２の斜面さらには第１の斜面の勾配が回復する。
（２）薄鋼板の板厚を３．２ｍｍ以下としナットの非締め付け時における第１の斜面の勾配は略５．０°ないし１０．０°とし、第２の斜面の勾配を第１の斜面の勾配の略２倍とすることにより、汎用プレス機で容易にプレス加工が可能となり経済性に優れた円錐台形ばね座金を得ることができる。また、貫通孔の直径をボルト径に０．１５ｍｍないし０．３ｍｍを加えた数値とすることにより、円錐台形ばね座金はボルトやナットに対して偏心することがなくなる。そして、貫通孔の直径を円錐台形上面の直径に略一致させることにより、円錐台形ばね座金自体を小さくすることができる。
（３）被固定物に横荷重が作用したときにボルト頭部の傾きによりボルトの曲がりが許容されて、被固定物とボルト固定体との間のスムーズな滑りが生ずる。また、ボルト頭部の傾きは円錐台形ばね座金の横荷重方向の反対側の第２の斜面が弾性変形して被固定物に接近するとともに横荷重方向側の第１の斜面が回復することによるナットの傾きによるものであるが、このような場合でもボルトの緩みを防止することができる。
（４）ボルトをアンカーボルトとし、被固定物を建物の土台とし、ボルト固定体を基礎として、土台と基礎の間に板材を主要素とする複数枚の滑り平板からなる摩擦減震装置を介挿させることにより、地震等の横荷重が建物に作用したときには、円錐台形ばね座金によるアンカーボルトの首振り機構が作用して、地震等の横荷重はスムーズに伝達されて摩擦減震装置が有効に働く。なお、土台および円錐台形ばね座金の間に平座金を介挿させることにより、木造の土台への円錐台形ばね座金の食い込みを防ぐことができる。
【図面の簡単な説明】
【００１０】
【図１】図１は実施例１に係る円錐台形ばね座金の全体図であって、図１（ａ）は平面図、図１（ｂ）は図１（ａ）におけるＩ−Ｉ矢視断面図である。
【図２】図２は実施例２に係るナットを締め付けた状態を示すボルトの首振り機構の断面図である。
【図３】図３は実施例２に係る地震による横荷重を受けた状態を示すボルトの首振り機構の断面図である。なお、図２および図３における円錐台形ばね座金に関しては断面表示としている。
【発明を実施するための形態】
【００１１】
本発明を実施するための形態に係る実施例について、図１ないし図３を参照して説明する。なお、図１ないし図３において、符号１は実施例２に係る首振り機構、符号１０は実施例１に係る円錐台形ばね座金、符号１１は第１の斜面、符号１２は第２の斜面、符号１３は貫通孔、符号２１はナット、符号２３はアンカーボルト（ボルト）、符号２５は平座金、符号２７は土台（被固定物）、符号２９は基礎（ボルト固定体）、符号３１は摩擦減震装置、である。
【実施例１】
【００１２】
まず、実施例１に係る円錐台形ばね座金１０について、主に図１を基に、そして図２を参考にして説明する。
【００１３】
薄鋼板を打ち抜き成形した円錐台形ばね座金１０は、側面が円錐台形を呈しその上面には貫通孔１３が貫設されている。そして、円錐台形ばね座金１０の斜面は略中央部が内側に中折れして、下側から順に第１の斜面１１および第２の斜面１２が形成され、第１の斜面１１の勾配は第２の斜面１２の勾配の略１／２となっている。
【００１４】
実施例では、円錐台形ばね座金１０の板厚を１．４ｍｍとしていて、アンカーボルト２３の径を１２ｍｍφとしていることから、貫通孔１３の直径を１２．２ｍｍφとし、第１の斜面１１の勾配を７．５°、第２の斜面１２の勾配を１５．０°としている。また、円錐台形ばね座金１０の上面は貫通孔１３の直径に一致して１２．２ｍｍφであり、下面は３０．５ｍｍφであり、高さは３．２ｍｍである。
【００１５】
ナット（図２ではナット２１）を締め付けてボルト（図２ではアンカーボルト２３）に軸力を与えることにより円錐台形ばね座金１０に上下方向の圧縮力を作用させると、第１の斜面１１の勾配が小さくなって、所定軸力で第１の斜面１１の勾配は０°となる（図２参照）。さらに、力が加わると第２の斜面１２の勾配が弾性変形して小さくなる。実施例では、第１の斜面１１の勾配が０°となる所定軸力を１ｋＮないし５ｋＮとなるように設計している。
【実施例２】
【００１６】
次ぎに、実施例２に係る首振り機構１について、主に図２および図３を基に説明する。
【００１７】
実施例の首振り機構１は、木造建物の基礎２９と土台２７との間に介挿される薄型の摩擦減震装置３１に付帯して使用されることを想定している。すなわち、首振り機構１は、アンカーボルト２３と、アンカーボルト２３に順に挿通される摩擦減震装置３１と、土台２７の上部に載置される平座金２５と、平座金２５の上部に位置する円錐台形ばね座金１０と、平座金２５および円錐台形ばね座金１０を固定するナット２１と、から構成されていて、首振り機構１をセットした状態では、基礎２９側からアンカーボルト２３に挿通される順に摩擦減震装置３１、土台２７、平座金２５、円錐台形ばね座金１０およびナット２１となっている。
【００１８】
摩擦減震装置３１は重ね合わせた滑り平板間の摩擦力を利用して、建物に作用する地震力を減震する装置であって、実施例では２枚の金属板を重ね合わせものを使用している。すなわち、上部に位置する滑り平板は厚さが３ｍｍ程度で直径が９０ｍｍφの円盤状を呈していて、中心部には２３ｍｍφの挿通孔が貫設され、下部に位置する滑り平板も円盤状を呈していて、その厚さは２ｍｍ程度であり中心部には１３ｍｍφの挿通孔２１が貫設されている。そして、重ね合わされた２枚の滑り平板はアンカーボルト２３に挿通されてセットされている。なお、前述したように、アンカーボルト２３は１２ｍｍφのものを使用している。
【００１９】
首振り機構１をセットした状態でナット２１を所定軸力で締め付けると、図２に示すように円錐台形ばね座金１０が弾性変形して第１の斜面１１の勾配が０°となって、平座金２５に密着して摩擦減震装置３１のセットが完了となる。このため、ナット２１を所定の軸力で締め付けたか否かの判断が目視で確認できる。
【００２０】
図３は首振り機構１のセットが完了した状態で、建物すなわち土台２７に地震による横荷重の力（右矢印の方向）が作用した状態を示している。図３に示すように、土台２７に横からの力が作用すると、以下の２つの事象が発生し同時に進行する。
（１）土台２７は基礎２９に対して左方向にずれるが、このとき摩擦減震装置３１は上部に位置する滑り平板が土台２７とともに下部に位置する滑り平板に対する滑りが発生して左方向にずれる。
（２）土台２７が基礎２９に対して左方向にずれるに伴い、アンカーボルト２３にも曲げの力が働いてその頭部も左方向にずれるが、このときナット２１が左側に傾こうとして、円錐台形ばね座金１０の横荷重方向の反対側（右矢印の反対側）の第２の斜面１２が弾性変形して平座金２５に接近する（図３では第２の斜面１２の勾配が０°の状態を示している。）とともに横荷重方向側（右矢印側）の第１の斜面が回復して、ナット２１が左側に傾く首振り効果が生ずる。その結果、アンカーボルト２３の固定部近辺が曲がるものの、その上部については、ナット２１が見掛け上左回転してアンカーボルト２３の曲がりはなく直線状となる。
【００２１】
アンカーボルト２３頭部の首振り効果により、アンカーボルト２３に作用する剪断力が小さくなって、その分、アンカーボルト２３の軸力は大きくなる。したがって、上記（１）により、摩擦減震装置３１は上部に位置する滑り平板と下部に位置する滑り平板との間で滑りが発生するとともに、滑りによる平板間の摩擦力により地震力を減震することができるばかりでなく、上記（２）により、アンカーボルト２３の軸力が増大して平板間の摩擦力も増大し、減震効果も増大する。
【符号の説明】
【００２２】
１  実施例２に係る首振り機構
１０  実施例１に係る円錐台形ばね座金
１１  第１の斜面
１２  第２の斜面
１３  貫通孔
２１  ナット
２３  アンカーボルト（ボルト）
２５  平座金
２７  土台（被固定物）
２９  基礎（ボルト固定体）
３１  摩擦減震装置
【図１】
2017116003.tif 000003
【図２】
2017116003.tif 000004
【図３】
2017116003.tif 000005
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
ナットと平座金の間に挿入される一体成形の薄鋼板製で外観が円錐台形を呈し上面にはその中心部に締結用のアンカーボルトが貫通する貫通孔が貫設される円錐台形ばね座金が該ナットと該アンカーボルトを固定して突設している基礎の間に介挿されるとともに建物の土台が該基礎と該円錐台形ばね座金の間に該アンカーボルトに挿通されて介挿され、
前記土台と前記基礎の間には板材を主要素とする複数枚の滑り平板からなる摩擦減震装置が前記アンカーボルトに挿通されて介挿され、
前記土台および前記円錐台形ばね座金の間には前記平座金が前記アンカーボルトに挿通されて介挿され、
前記円錐台形ばね座金は前記ナットの非締め付け時には円錐台形の斜面が内側に中折れして前記平座金側から順に勾配の異なる第１の斜面および第２の斜面が形成され、前記アンカーボルトに所定軸力を与える該ナットの締め付け時には該第１の斜面が弾性変形して前記平座金に略密着して前記土台が前記基礎に固定され、該所定軸力を超えるときは前記第２の斜面が弾性変形して該平座金に接近し、
前記アンカーボルトの突設方向に対する横荷重を受けて前記基礎に対して前記土台に横荷重方向の滑りが生じたときに前記円錐台形ばね座金の該横荷重方向の反対側の第２の斜面が弾性変形して該土台に接近するとともに該横荷重方向側の第１の斜面が回復して、該アンカーボルト頭部が傾いて該アンカーボルト頭部の首振りによる該アンカーボルトの曲がりを許容する、ことを特徴とするボルトの首振り機構。
【請求項２】
前記薄鋼板の板厚は略３．２ｍｍ以下であり、
前記ナットの非締め付け時における前記第１の斜面の勾配は略５．０°ないし１０．０°であり前記第２の斜面の勾配は該第１の斜面の勾配の略２倍であり、
前記貫通孔の直径は前記アンカーボルト径に０．１５ｍｍないし０．３ｍｍを加えた数値であって円錐台形上面の直径に略一致する、ことを特徴とする請求項１に記載のボルトの首振り機構。
【手続補正２】
【補正対象書類名】明細書
【補正対象項目名】０００８
【補正方法】変更
【補正の内容】
【０００８】
上記目的を達成するため、本願請求項１に係るボルトの首振り機構は、ナットと平座金の間に挿入される一体成形の薄鋼板製で外観が円錐台形を呈し上面にはその中心部に締結用のアンカーボルトが貫通する貫通孔が貫設される円錐台形ばね座金が該ナットと該アンカーボルトを固定して突設している基礎の間に介挿されるとともに建物の土台が該基礎と該円錐台形ばね座金の間に該アンカーボルトに挿通されて介挿され、前記土台と前記基礎の間には板材を主要素とする複数枚の滑り平板からなる摩擦減震装置が前記アンカーボルトに挿通されて介挿され、前記土台および前記円錐台形ばね座金の間には前記平座金が前記アンカーボルトに挿通されて介挿され、前記円錐台形ばね座金は前記ナットの非締め付け時には円錐台形の斜面が内側に中折れして前記平座金側から順に勾配の異なる第１の斜面および第２の斜面が形成され、前記アンカーボルトに所定軸力を与える該ナットの締め付け時には該第１の斜面が弾性変形して前記平座金に略密着して前記土台が前記基礎に固定され、該所定軸力を超えるときは前記第２の斜面が弾性変形して該平座金に接近し、前記アンカーボルトの突設方向に対する横荷重を受けて前記基礎に対して前記土台に横荷重方向の滑りが生じたときに前記円錐台形ばね座金の該横荷重方向の反対側の第２の斜面が弾性変形して該土台に接近するとともに該横荷重方向側の第１の斜面が回復して、該アンカーボルト頭部が傾いて該アンカーボルト頭部の首振りによる該アンカーボルトの曲がりを許容する、ことを特徴としている。
また、本願請求項２に係るボルトの首振り機構は、請求項１に記載のボルトの首振り機構であって、前記薄鋼板の板厚は略３．２ｍｍ以下であり、前記ナットの非締め付け時における前記第１の斜面の勾配は略５．０°ないし１０．０°であり前記第２の斜面の勾配は該第１の斜面の勾配の略２倍であり、前記貫通孔の直径は前記ボルト径に０．１５ｍｍないし０．３ｍｍを加えた数値であって円錐台形上面の直径に略一致する、ことを特徴としている。